(57)【要約】【課題】  高速に設定を完了することが可能な伝送システムを提供する。【解決手段】  本発明の伝送システムは、同一の機能を有する複数の伝送装置（ＮＥ１等）で構成され、複数の伝送装置における装置間通信の設定を監視サーバ（２）にてネットワークを介して行う。複数の伝送装置のうちの第１の伝送装置（ＮＥ１）は、伝送システムのゲートウェイとして動作しかつ他の伝送装置に対して仮の設定を送信する手段（管理部１１、ＮＡＰＴアドレス付け替え部１２）と、仮の設定を送信した伝送装置の情報を記録する手段（管理部１１）と、その記録した伝送装置の情報と自装置の情報とを監視サーバに送信する手段（管理部１１）とを有し、監視サーバは、第１の伝送装置から受信した情報を基に複数の伝送装置全てに前記装置間通信の設定情報を並列に送信する。【選択図】      図１
2014112756.tif 000002
【特許請求の範囲】
【請求項１】
同一の機能を有する複数の伝送装置で構成され、複数の伝送装置における装置間通信の設定を監視サーバにてネットワークを介して行う伝送システムであって、
前記複数の伝送装置のうちの第１の伝送装置は、前記伝送システムのゲートウェイとして動作しかつ他の伝送装置に対して仮の設定を送信する手段と、前記仮の設定を送信した伝送装置の情報を記録する手段と、その記録した伝送装置の情報と自装置の情報とを前記監視サーバに送信する手段とを有し、
前記監視サーバは、前記第１の伝送装置から受信した情報を基に前記複数の伝送装置全てに前記装置間通信の設定情報を並列に送信する手段を有することを特徴とする伝送システム。
【請求項２】
前記複数の伝送措置の装置間接続区間をクローズドネットワークとして扱うことを特徴とする請求項１記載の伝送システム。
【請求項３】
前記複数の伝送装置各々は、オペレータが設定変更を実施した場合に対向装置からの情報を基に設定の差分について警告を行う機能を含むことを特徴とする請求項１または請求項２記載の伝送システム。
【請求項４】
上記の請求項１から請求項３のいずれかに記載の機能を有することを特徴とする伝送装置。
【請求項５】
同一の機能を有する複数の伝送装置で構成され、複数の伝送装置における装置間通信の設定を監視サーバにてネットワークを介して行う伝送システムに用いる装置間通信設定方法であって、
前記複数の伝送装置のうちの第１の伝送装置は、前記伝送システムのゲートウェイとして動作しかつ他の伝送装置に対して仮の設定を送信する処理と、前記仮の設定を送信した伝送装置の情報を記録する処理と、その記録した伝送装置の情報と自装置の情報とを前記監視サーバに送信する処理とを実行し、
前記監視サーバは、前記第１の伝送装置から受信した情報を基に前記複数の伝送装置全てに前記装置間通信の設定情報を並列に送信する処理を実行することを特徴とする装置間通信設定方法。
【請求項６】
前記複数の伝送措置の装置間接続区間をクローズドネットワークとして扱うことを特徴とする請求項５記載の装置間通信設定方法。
【請求項７】
前記複数の伝送装置各々に、オペレータが設定変更を実施した場合に対向装置からの情報を基に設定の差分について警告を行う機能を設けたことを特徴とする請求項５または請求項６記載の装置間通信設定方法。
【発明の詳細な説明】
【技術分野】
【０００１】
本発明は伝送システム、伝送装置及びそれらに用いる装置間通信設定方法に関し、特に同一の機能を有する複数の装置で構成された伝送システムにおける装置間通信の設定方法に関する。
【背景技術】
【０００２】
光伝送装置では隣接装置との通信を行うために物理層の設定、２層の設定及び３層の設定を行う必要があるが、２層及び３層の設定ミスでは警報や警告が上がらず、問題となることが多い。また、光伝送装置の設定に長時間かかるため、高速化が求められている。
【０００３】
本発明に関連する光伝送システムでは、図４に示すような構成において、作業員２０１が光伝送装置ＮＥ（Ｎｅｔｗｏｒｋ  Ｅｌｅｍｅｎｔ）１と光伝送装置ＮＥ２との接続を設定している際に、装置の設定が図５に示す各層３０１~３０４で一致していないと、通信を行うことができないが、図４に示すように、迂回経路２０４が存在する場合、３層３０３、アプリ層３０４を用いた導通確認だと、迂回経路２０４経由で応答が確認できるため、誤設定に気付くことができずに、障害箇所の特定に時間がかかっている。
【０００４】
光伝送装置では、装置間接続が１対１接続であることを利用し、隣接装置と情報交換を行い、各層の仮設定を行う。その後、上位の監視サーバより各装置の正しい設定を接続された順に上書きするため、全ての装置の設定を完了するまでに時間がかかっている。
【０００５】
光伝送システム以外の通信システムにおける装置の設定については、下記の特許文献１〜３に記載の技術がある。特許文献1には、クライアント・サーバ型システムにおけるアプリケーション利用開始の初期設定に関する技術が記載され、特許文献２には、ネットワーク管理サーバからの設定情報を新にネットワークへの接続が検出された端末通信装置に送信する通信装置が記載され、特許文献３には、ネットワークを介して接続する複数の機器へ、共通するパラメータの設定情報に基づいて一括して設定する装置が記載されている。
【先行技術文献】
【特許文献】
【０００６】
【特許文献１】特開２００４−２２０１４５号公報
【特許文献２】特開２０１２−０１５７３２号公報
【特許文献３】特開２０１２−２２０１４５号公報
【発明の概要】
【発明が解決しようとする課題】
【０００７】
上述した光伝送システムでは、図４に示すような構成において、迂回経路が存在する場合、３層、アプリ層を用いた導通確認だと、迂回経路経由で応答が確認できるため、誤設定に気付くことができずに、障害箇所の特定に時間がかかってしまう。
【０００８】
伝送装置では、装置間接続が１対１接続であることを利用し、隣接装置と情報交換を行い、各層の仮設定を行った後、上位の監視サーバより各装置の正しい設定を、接続された順に上書きするため、全ての装置の設定を完了するまでに時間がかかるという課題がある。
【０００９】
上記の特許文献１〜３に記載の設定技術では、光伝送システムにおける装置間通信の設定に関するものではないので、上記の課題を解決することができない。
【００１０】
そこで、本発明の目的は上記の問題点を解消し、作業者による設定ミスを削減することができ、作業者の作業を削減することができるとともに、高速に設定を完了することができる伝送システム、伝送装置及びそれらに用いる装置間通信設定方法を提供することにある。
【課題を解決するための手段】
【００１１】
本発明による伝送システムは、同一の機能を有する複数の伝送装置で構成され、複数の伝送装置における装置間通信の設定を監視サーバにてネットワークを介して行う伝送システムであって、
前記複数の伝送装置のうちの第１の伝送装置は、前記伝送システムのゲートウェイとして動作しかつ他の伝送装置に対して仮の設定を送信する手段と、前記仮の設定を送信した伝送装置の情報を記録する手段と、その記録した伝送装置の情報と自装置の情報とを前記監視サーバに送信する手段とを備え、
前記監視サーバは、前記第１の伝送装置から受信した情報を基に前記複数の伝送装置全てに前記装置間通信の設定情報を並列に送信する手段を備えている。
【００１２】
本発明による伝送装置は、上記の伝送システムを構成する伝送装置の手段を有することを特徴とする。
【００１３】
本発明による装置間通信設定方法は、同一の機能を有する複数の伝送装置で構成され、複数の伝送装置における装置間通信の設定を監視サーバにてネットワークを介して行う伝送システムに用いる装置間通信設定方法であって、
前記複数の伝送装置のうちの第１の伝送装置は、前記伝送システムのゲートウェイとして動作しかつ他の伝送装置に対して仮の設定を送信する処理と、前記仮の設定を送信した伝送装置の情報を記録する処理と、その記録した伝送装置の情報と自装置の情報とを前記監視サーバに送信する処理とを実行し、
前記監視サーバは、前記第１の伝送装置から受信した情報を基に前記複数の伝送装置全てに前記装置間通信の設定情報を並列に送信する処理を実行している。
【発明の効果】
【００１４】
本発明は、上記のような構成及び動作とすることで、作業者による設定ミスを削減することができ、作業者の作業を削減することができるとともに、高速に設定を完了することができるという効果が得られる。
【図面の簡単な説明】
【００１５】
【図１】本発明の実施の形態による光伝送装置の構成例を示すブロック図である。
【図２】本発明の実施の形態による光伝送システムの構成例を示すブロック図である。
【図３】本発明の実施の形態による光伝送システムにおける設定動作を示すシーケンスチャートである。
【図４】本発明に関連する光伝送システムの構成例を示すブロック図である。
【図５】図４に示す装置の各層の設定を示す図である。
【発明を実施するための形態】
【００１６】
次に、本発明の実施の形態について図面を参照して説明する。まず、本発明による伝送システムの概要について説明する。本発明による伝送システムは、同一の機能を有する複数の装置で構成されたシステムであり、以下の説明では当該システムの例として同一の機能を有する複数の光伝送装置で構成された光伝送システムについて述べるが、本発明は、これら光伝送システム及び光伝送装置に限定されるものではない。
【００１７】
本発明は、光伝送システムにおける監視システムにおいて、作業員のミスによる回線切断を未然に防ぐこと、並行処理を可能とすることにより設定を高速に行うことができることを特徴としている。
【００１８】
本発明において、光伝送装置の１対１接続区間の接続が同一の機能を有する装置と接続し、ＬＡＮ（Ｌｏｃａｌ  Ａｒｅａ  Ｎｅｔｗｏｒｋ）インタフェースが一般的なネットワークに接続するという特徴を利用し、装置間接続区間をクローズドネットワークと扱い、ＬＡＮインタフェースを用いてゲートウェイとして動作することで、監視サーバから各光伝送装置への接続を並列に実行することにより、全ての光伝送装置の設定を完了するまでの時間を高速することを可能としている。
【００１９】
ここで、対象の光伝送装置では、ＬＡＮインタフェースを装置間の接続に使用せず、上位の監視サーバと接続するために使用するという特徴を有する。光伝送装置の装置間の接続は、1対1接続（ＬＡＮインタフェースは多対多接続）のインタフェースで接続される。
【００２０】
図２に示す光伝送システムの場合、ゲートウェイとして動作するのは光伝送装置ＮＥ（Ｎｅｔｗｏｒｋ  Ｅｌｅｍｅｎｔ）１のみとなり、他の光伝送装置ＮＥ２〜ＮＥ６は、クローズドネットワーク１０１に所属する装置となる。
【００２１】
本発明による光伝送システムでは、同一の機能を有する光伝送装置で接続されており、ＬＡＮインタフェースを介さない限り、自社装置だけである区間が保証される特徴を利用し、クローズドネットワーク１０１としている。
【００２２】
一般的なネットワークとクローズドなネットワークとを繋ぐ機能は、一般的であるＮＡＰＴ（Ｎｅｔｗｏｒｋ  Ａｄｄｒｅｓｓ  Ｐｏｒｔ  Ｔｒａｎｓｌａｔｉｏｎ）の機能を使用することで実現しており、ＮＡＰＴの機能は公知であるので、その詳細な説明は省略する。
【００２３】
図１は本発明の実施の形態による光伝送装置の構成例を示すブロック図であり、図２は本発明の実施の形態による光伝送システムの構成例を示すブロック図である。
【００２４】
図１において、本発明の実施の形態による光伝送装置ＮＥ１は、管理部１１と、ＮＡＰＴアドレスの付け替え部１２とを含んで構成されている。図１においては、光伝送装置ＮＥ１の構成を図示しているが、図２に示す他の光伝送装置ＮＥ２〜ＮＥ６も光伝送装置ＮＥ１と同様の構成となっている。
【００２５】
図２において、本発明の実施の形態による光伝送システムは、光伝送装置ＮＥ１〜ＮＥ６と、監視サーバ２とから構成されており、光伝送装置ＮＥ１〜ＮＥ６をリング状に接続してクローズドネットワーク１０１を形成している。
【００２６】
図１及び図２を参照して、上記の一般的なネットワークとクローズドなネットワークとを繋ぐ機能について説明する。上記の一般的なネットワークとクローズドなネットワークとを繋ぐ動作としては、一般的なＮＡＰＴの動作となる。
【００２７】
監視サーバ２は、光伝送装置ＮＥ１の監視を開始する。光伝送装置ＮＥ１は、クローズドネットワーク１０１に所属する他の光伝送装置ＮＥ２〜ＮＥ６を監視サーバ２に通知する。
【００２８】
監視サーバ２は、光伝送装置ＮＥ１から通知された情報を基に光伝送装置ＮＥ１に対して監視通信を送信する。光伝送装置ＮＥ１は、クローズドネットワーク１０１宛の通信であることを関知し、ＩＰ（Ｉｎｔｅｒｎｅｔ  Ｐｒｏｔｏｃｏｌ）アドレスを、ＮＡＰＴアドレスの付け替え部１２にて付け替えて他の光伝送装置ＮＥ２〜ＮＥ６に転送する。複数の通信も、上記と同様に転送することで、監視サーバ２の光伝送装置ＮＥ１〜ＮＥ６への接続を並列に処理することができる。
【００２９】
本実施の形態では、図２に示す光伝送装置ＮＥ１〜ＮＥ６の設定を監視サーバ２から設定することを目的とする。作業者は、各光伝送装置ＮＥ１〜ＮＥ６に対して初期設定として図５に示す物理層３０１の設定を実施する。物理層３０１では、接続に失敗した際に警報が発出されるために誤設定に気付くことができる。
【００３０】
次に、光伝送装置ＮＥ１は、一般回線と接続（１０２）されていることを認識し、ゲートウェイとして動作を行う。光伝送装置ＮＥ１は、クローズドネットワーク１０１内にいる他の全ての光伝送装置ＮＥ２〜ＮＥ６に対して仮の設定を既知の機能（管理部１１の機能）で提供する。
【００３１】
さらに、監視サーバ２は、一般回線を経由して光伝送装置ＮＥ１の監視を開始する。光伝送装置ＮＥ１は、監視サーバ２に対して、クローズドネットワーク１０１内の他の光伝送装置ＮＥ２〜ＮＥ６の情報と自装置（光伝送装置ＮＥ１）の情報とを通知する。
【００３２】
監視サーバ２は、光伝送装置ＮＥ１から通知された情報を基に、全ての光伝送装置ＮＥ１〜ＮＥ６に対して設定情報を並列に転送する。この転送方法については、上記で説明したとおりである。
【００３３】
監視サーバ２は、光伝送装置ＮＥ１から通知された全ての光伝送装置ＮＥ１〜ＮＥ６に対して設定情報が正常に転送されたことを確認した後、全ての光伝送装置ＮＥ１〜ＮＥ６に対して、その節鄭情報の反映を指示することで、全ての光伝送装置ＮＥ１〜ＮＥ６はオープンなネットワークに接続され、監視サーバ２から監視を開始する。
【００３４】
本実施の形態では、以上の動作により、光伝送装置ＮＥ１〜ＮＥ６に対して最小限の設定で、監視サーバ２からの監視を開始することが可能となる。尚、上述した光伝送装置ＮＥ１による光伝送装置ＮＥ２〜ＮＥ６への仮の設定は、監視サーバ２を必要としない。
【００３５】
光伝送装置ＮＥ１〜ＮＥ６各々は、隣接装置と最低限の情報で接続していく。複雑なネットワークでは、設定が重複を避けるための条件が難しいが、クローズドネットワーク１０１では、同一の機能を有する装置しか存在しないため、少ない条件で設定することが可能である。
【００３６】
隣接装置間接続は、１対１接続のため、マスタとスレーブとの設定があれば接続が可能であるので、初期状態で互いの情報を受信した際、ＮＥ名の大きさ等を条件にマスタ、スレーブを設定し、隣接との接続を確立する。
【００３７】
次に、複数の接続については、上述したとおり、２層以上の通信を転送することで、大きなＬ２（レイヤ２）ネットワーク（同一サブネット）を構築することができる。リング形状の場合のために、２層ではＳＴＰ（Ｓｐａｎｎｉｎｇ  Ｔｒｅｅ  Ｐｒｏｔｏｃｏｌ）を動作させることを想定している。
【００３８】
図３は本発明の実施の形態による光伝送システムにおける設定動作を示すシーケンスチャートである。これら図２及び図３を参照して本発明の実施の形態による光伝送システムにおける設定動作について説明する。
【００３９】
尚、図３においては、光伝送装置ＮＥ１〜ＮＥ３のみの動作を図示しているが、他の光伝送装置ＮＥ４〜ＮＥ６についての設定動作も同様であるので、以下の説明では光伝送装置ＮＥ１〜ＮＥ６について記述する。
【００４０】
光伝送装置ＮＥ１は、クローズドネットワーク１０１内の他の光伝送装置ＮＥ２〜ＮＥ６からの通知を受信し（図３のａ１，ａ３）、仮の設定を送信し（図３のａ２，ａ４）、仮の設定を行った光伝送装置ＮＥ２〜ＮＥ６を記録する。
【００４１】
監視サーバ２は、光伝送装置ＮＥ１に対して仮接続を行う（図３のａ５）。光伝送装置ＮＥ１は、監視サーバ２に対して、上記の仮の設定で記録した光伝送装置ＮＥ２〜ＮＥ６の情報と自装置（光伝送装置ＮＥ１）の情報とを送信する（図３のａ６）。
【００４２】
監視サーバ２は、光伝送装置ＮＥ１から報告された情報を基に全ての光伝送装置ＮＥ１〜ＮＥ６に対して設定情報を送信し（図３のａ７〜ａ９）、正常終了を確認後、全ての光伝送装置ＮＥ１〜ＮＥ６に対してその設定情報を反映させる。
【００４３】
その後、監視サーバ２は、全ての光伝送装置ＮＥ１〜ＮＥ６に対する監視を開始する（図３のａ１０〜ａ１２）。
【００４４】
このように、本実施の形態では、上記のように設定動作を行うことで、作業者による設定ミスを削減することできる。また、本実施の形態では、自動的に設定を変更することで、作業者の作業を削減することできる。
【００４５】
さらに、本実施の形態では、監視サーバ２から光伝送装置ＮＥ１〜ＮＥ６へ並列にデータ転送を行うことで、光伝送装置ＮＥ１〜ＮＥ６に対して高速に設定することが可能となる。
【００４６】
尚、本発明では、オペレータが設定変更を実施した場合に、対向装置からの情報を基に設定の差分について警告を行う機能を持つことができる。これにより、誤設定や移転作業中に遠隔地まで行くことなしに、遠隔地の装置の設定を変更することが可能となる。
【符号の説明】
【００４７】
２  監視サーバ
１１  管理部
１２  ＮＡＰＴアドレスの付け替え部
１０１  クローズドネットワーク
ＮＥ１〜ＮＥ６  光伝送装置
【図１】
2014112756.tif 000003
【図２】
2014112756.tif 000004
【図３】
2014112756.tif 000005
【図４】
2014112756.tif 000006
【図５】
2014112756.tif 000007